(57)【要約】【課題】子機から親機へ呼び出しが行われているのか、親機から子機へ呼び出しが行われているのかを医療従事者が直感的に判断することができるようにする。【解決手段】子機から親機への呼び出しについては、呼び出しの内容を示す呼出項目を上方に配置した呼出報知画面を表示部が表示し、親機から子機への呼び出しについては、呼び出しの内容を示す患者呼出項目を下方に配置した患者呼出報知画面を表示部が表示するようにしている。これにより、子機から親機への呼び出しについては、表示部の画面の上方に呼出項目が表示されるので、医療従事者は自身から見て遠い場所に設置されている子機からの呼び出しであると直感的に判断することができる。一方、親機から子機への呼び出しについては、表示部の画面の下方に患者呼出項目が表示されるので、医療従事者は自身から見て近い場所に設置されている親機からの呼び出しであると直感的に判断することができる。【選択図】  図２
2010194270.tif 000002
【特許請求の範囲】
【請求項１】
ナースコール子機から出力された呼出信号を入力する親機インターフェースと、
医療従事者が所望の患者を呼び出すための操作を行う患者呼出操作部と、
前記親機インターフェースが前記呼出信号を入力した場合に、前記呼出信号により特定される呼び出しの内容を示す呼出項目を画面の上方に配置して呼出報知画面を生成し、前記患者呼出操作部が操作された場合に、前記患者を呼び出すための呼び出しの内容を示す患者呼出項目を画面の下方に配置して患者呼出報知画面を生成する表示制御部と、
前記表示制御部により生成された前記呼出報知画面または前記患者呼出報知画面を表示する表示部と、
を備えたナースコール親機。
【発明の詳細な説明】
【技術分野】
【０００１】
本発明は、患者から看護師などの医療従事者への呼び出し、および、医療従事者から患者への呼び出しを行うナースコールシステムにおけるナースコール親機に関する。
【背景技術】
【０００２】
一般的に、ナースコールシステムは、呼出ボタンを有するナースコール子機を各病室内の各病床の近傍に設置するとともに、看護師などの医療従事者が常駐するナースセンタにナースコール親機を設置している。そして、患者がナースコール子機の呼出ボタンを操作した場合に、ナースコール子機からナースコール親機へ呼出信号を出力し、ナースコール親機にて呼び出しの発生を報知するように構成されている。ここで、ナースコールシステムは、病院だけではなく、介護施設などでも使用される。
【０００３】
ナースコール親機には、ＬＥＤ（light-emitting  diode）などのランプと患者氏名を表示する表示欄とを備えた選局部を患者の数に応じて組み合わせたボード形のものと、液晶ディスプレイなどの表示装置上に患者氏名や呼び出しを報知するためのポップアップ画面を表示するコンピュータ形のものが存在している（例えば、特許文献１など）。また、ボード形のナースコール親機に液晶ディスプレイを設けることも知られている（例えば、特許文献２など）。
【０００４】
ところで、ナースコールシステムでは、医療従事者がナースコール親機で患者を指定して呼び出しを行うことができる。その場合、ナースコール親機は、ナースコール親機によって指定された患者の近傍に設置されているナースコール子機へ呼出信号を出力し、ナースコール子機にて呼び出しの発生を報知することもできる。また、ナースコールシステムでは、医療従事者がナースコール親機を操作してすべてのナースコール子機に対して一斉放送を行ったり、一部の患者の近傍に設置されているナースコール子機を指定して放送を行ったりすることもできる。
【０００５】
このように、ナースコールシステムでは、呼び出しを双方向に行うことが可能である。一般的に、ナースコール親機が液晶ディスプレイなどの表示装置を備えている場合には、ナースコール子機からナースコール親機へ呼び出しが行われたことを図５（ａ）に示すようなポップアップ画面で表示する。また、ナースコール親機からナースコール子機へ呼び出しが行われたことを図５（ｂ）に示すようなポップアップ画面で表示する。
【先行技術文献】
【特許文献】
【０００６】
【特許文献１】特開２００８−９９７８５号公報
【特許文献２】特開２０００−４３０２号公報
【発明の概要】
【発明が解決しようとする課題】
【０００７】
しかしながら、上述したようなポップアップ画面では、ナースコール子機からナースコール親機へ呼び出しが行われているのか、ナースコール親機からナースコール子機へ呼び出しが行われているのかをポップアップ画面中の文字の内容を見て判別しなければならないため、医療従事者が呼び出しの方向を直感的に判断することができないという問題があった。
【０００８】
本発明は、このような問題を解決するために成されたものであり、患者から医療従事者を呼び出す画面または医療従事者から患者を呼び出す画面を表示するナースコール親機において、ナースコール子機からナースコール親機へ呼び出しが行われているのか、ナースコール親機からナースコール子機へ呼び出しが行われているのかを医療従事者がナースコール親機にて直感的に判断することができるようにすることを目的とする。
【課題を解決するための手段】
【０００９】
上述した課題を解決するために、本発明では、ナースコール子機からナースコール親機への呼び出しについては、呼び出しの内容を示す呼出項目をナースコール親機の画面の上方に表示し、ナースコール親機からナースコール子機への呼び出しについては、呼出項目をナースコール親機の画面の下方に表示するようにしている。
【発明の効果】
【００１０】
上記のように構成した本発明によれば、ナースコール子機からナースコール親機への呼び出しについては、ナースコール親機の画面の上方に呼出項目が表示されるので、医療従事者は自身から見て遠い場所に設置されているナースコール子機からの呼び出しであると直感的に判断することができる。一方、ナースコール親機からナースコール子機への呼び出しについては、ナースコール親機の画面の下方に呼出項目が表示されるので、医療従事者は自身から見て近い場所に設置されているナースコール親機からの呼び出しであると直感的に判断することができる。
【図面の簡単な説明】
【００１１】
【図１】本実施形態によるナースコール親機を含むナースコールシステムの構成例を示すブロック図である。
【図２】本実施形態によるナースコール親機の表示部に表示される画面の例を示す図である。
【図３】本実施形態によるナースコール親機の動作および画面表示方法を示すフローチャートである。
【図４】本実施形態によるナースコール親機の表示部に表示される画面の変形例を示す図である。
【図５】従来のナースコール親機の表示部に表示される画面の例を示す図である。
【発明を実施するための形態】
【００１２】
以下、本発明の一実施形態を図面に基づいて説明する。図１は、本実施形態によるナースコール親機１を含むナースコールシステムの構成例を示すブロック図である。図１に示すナースコールシステムは、医療従事者が常駐するナースセンタなどに設置され、医療従事者によって使用されるナースコール親機１と、患者の病床近傍に設置され、患者によって使用されるナースコール子機１０とを備えて構成されている。ここで、ナースコール子機１０は、病院の施設内に複数設置されており、各患者の病床近傍にそれぞれ設置されている。
【００１３】
また、ナースコール親機１は、親機制御部２、親機インターフェース３、記憶部４、報知部５、選局部（特許請求の範囲の患者呼出操作部に該当する）６、表示制御部７、表示部８を備えて構成されている。また、ナースコール子機１０は、子機制御部１１、呼出操作部１２、子機インターフェース１３、子機報知部１４を備えて構成されている。
【００１４】
まず、ナースコール親機１の各構成要素について説明する。親機制御部２は、ナースコール親機１の各構成要素を制御するためのものであり、ＣＰＵ（Central Processing Unit）などにより構成されている。親機インターフェース３は、ナースコール親機１とナースコール子機１０とを接続して通信を行うためのものである。ここで、ナースコール親機１とナースコール子機１０との間の通信は、有線や無線によって行われる。また、ナースコール親機１とナースコール子機１０との間には、ナースコール子機１０からの呼び出しを表示したり、病室内の患者の氏名などを表示したりする図示しない廊下灯が接続されている。また、ナースコール親機１とナースコール子機１０との間には、ナースコール親機１およびナースコール子機１０間の通話やデータの送受信に関する制御を行う図示しない制御機が接続されている。
【００１５】
記憶部４は、メモリやハードディスクドライブなどの記憶装置により構成されており、ナースコール親機１に接続されているナースコール子機１０の子機識別情報（例えば、ベッド番号など）と患者を識別する患者識別情報（例えば、患者氏名など）とを関連付けて記憶している。また、記憶部４は、表示部８に表示される画面の画像情報を記憶している。
【００１６】
報知部５は、患者から呼び出しがあったことを報知するためのものであり、スピーカなどの放音装置により構成される。選局部６は、ＬＥＤなどのランプと患者氏名を表示する表示欄と、その患者を選択するための選択ボタンとを備えたものであり、複数の選局部６を患者の数に応じて縦横に組み合わせ、後述する表示部８などを近傍に設置することによりボード形のナースコール親機１を形成する。ここで、ＬＥＤなどのランプは、報知部５と同期して点灯または点滅することにより、患者から呼び出しがあったことを報知する。また、選局部６は、表示欄に記載された患者氏名の患者識別情報に関連付けて設置されている。従って、一つの選局部６が一人の患者を示すことになる。
【００１７】
表示制御部７は、記憶部４に記憶される画像情報などを用いて画面を生成し表示部８に出力する。表示部８は、液晶ディスプレイなどにより構成されており、選局部６の近傍に設置される。また、表示部８は、表示制御部７により生成された画面を表示する。
【００１８】
従って、親機インターフェース３がナースコール子機１０から出力された呼出信号を入力すると、親機制御部２は、呼出信号に含まれる子機識別情報を抽出し、記憶部４を参照して子機識別情報に関連付けて記憶されている患者識別情報を読み出す。そして、親機制御部２は、報知部５を動作させるとともに、読み出した患者識別情報に対応する選局部６のランプを点灯または点滅させる。
【００１９】
一方、表示制御部７は、親機インターフェース３が入力した呼出信号に含まれる子機識別情報（ここでは、ベッド番号情報）および親機制御部２が記憶部４から読み出した患者識別情報（ここでは、患者氏名情報）に基づいて生成されるテキストデータと、記憶部４から読み出した画像情報とを用いて呼出報知画面を生成して表示部８に出力する。表示部８は、表示制御部７により生成された呼出報知画面を表示する。ここで、表示部８が表示する呼出報知画面は、図２（ａ）に示すような画面であり、呼び出しの内容を示す呼出項目を画面の上方に配置し、患者のベッド番号と患者氏名とを示すテキストを画面の中央に配置している。
【００２０】
この状態で、医療従事者がナースコール親機１に設けた図示しない復旧装置を操作すると、親機制御部２は、報知部５の動作を停止し、選局部６のランプを消灯する。また、表示制御部７は、表示部８を制御して呼出報知画面の表示を停止させる。ここで、復旧装置は、医療従事者が患者と通話するためにナースコール親機１に設けられた図示しないハンドセットのオフフックに連動して動作するようにしても良いし、点灯または点滅しているランプが設けられている選局部６の選択ボタンの操作に連動して動作するようにしても良い。以下、復旧装置を操作することを単に復旧の操作と記載する。
【００２１】
また、ナースコール親機１は、例えば、医療従事者が選局部６に設けられた選択ボタンを操作することで、接続されている各ナースコール子機１０に対して呼び出しを行うことができる。医療従事者が呼び出したい患者の選局部６に設けられた選択ボタンを操作すると、親機制御部２は、患者呼出信号を生成して、親機インターフェース３により出力する。ここで、患者呼出信号には、選択ボタンが設けられた選局部６の患者識別情報に関連付けて記憶部４に記憶されている子機識別情報が含まれる。
【００２２】
このように、ナースコール親機１からナースコール子機１０が呼び出されると、表示制御部７は、親機制御部２が生成した患者呼出信号に含まれる子機識別情報（ここでは、ベッド番号情報）および選択ボタンが設けられた選局部６に関連付けられている患者識別情報（ここでは、患者氏名情報）に基づいて生成されるテキストデータと、記憶部４から読み出した画像情報とを用いて患者呼出報知画面を生成して表示部８に出力する。一方、表示部８は、表示制御部７により生成された患者呼出報知画面を表示する。ここで、表示部８が表示する患者呼出報知画面は、図２（ｂ）に示すような画面であり、呼び出しの内容を示す患者呼出項目を画面の下方に配置し、患者のベッド番号と患者氏名とを示すテキストを画面の中央に配置している。
【００２３】
次に、ナースコール子機１０の各構成要素について説明する。子機制御部１１は、ナースコール子機１０の各構成要素を後述するように制御する。呼出操作部１２は、患者が医療従事者を呼び出す際に操作するためのものであり、呼出ボタンなどにより構成されている。患者は、医療従事者を呼び出したい場合に、呼出操作部１２を操作する。すると、子機制御部１１は、呼出信号を生成する。ここで、呼出信号には、このナースコール子機１０を他のナースコール子機１０と区別するための子機識別情報が含まれる。
【００２４】
子機インターフェース１３は、ナースコール子機１０とナースコール親機１とを接続して通信を行うためのものである。ここで、子機インターフェース１３は、子機制御部１１により生成された呼出信号をナースコール親機１に出力するとともに、ナースコール親機１から出力された患者呼出信号を入力する。ここで、ナースコール子機１０は、図示しないメモリなどに自装置の子機識別情報を記憶している。従って、子機制御部１１は、入力した患者呼出信号に含まれる子機識別情報と自装置の子機識別情報とを比較して、両者が一致した場合に、患者呼出信号を取得する。
【００２５】
子機報知部１４は、医療従事者から呼び出しがあったことを患者に報知するためのものであり、スピーカなどの放音装置やモータなどの振動装置、ＬＥＤなどの発光装置、液晶ディスプレイなどの表示装置の中から選択された一つ以上の装置により構成される。子機インターフェース１３が入力した患者呼出信号が自装置に対するものであると子機制御部１１が判断すると、子機制御部１１は子機報知部１４を動作させる。これにより、患者は医療従事者からの呼び出しを把握することができる。
【００２６】
この状態で、患者がナースコール子機１０に設けた図示しない子機復旧装置を操作すると、子機制御部１１は、子機報知部１４の動作を停止する。ここで、子機復旧装置は、患者が医療従事者と通話するためにナースコール子機１０に設けられた図示しない通話開始ボタンの操作に連動して動作するようにしても良い。以下、復旧装置を操作することを単に復旧の操作と記載する。
【００２７】
従って、ナースコール子機１０からナースコール親機１が呼び出された場合、図２（ａ）に示すように、ナースコール親機１の表示部８には、呼出項目が上方に配置された呼出報知画面が表示される。一方、ナースコール親機１からナースコール子機１０を呼び出した場合、図２（ｂ）に示すように、ナースコール親機１の表示部８には、患者呼出項目が下方に配置された患者呼出報知画面が表示される。ここで、復旧の操作が行われると、表示制御部７は、表示部８を制御して、呼出報知画面の表示または患者呼出報知画面の表示を停止させる。
【００２８】
なお、本実施形態では、ナースコール子機１０からナースコール親機１を呼び出す内容を示す呼出項目として、一般的な呼び出しである一般呼出を例示して説明しているが、これに限定されない。例えば、トイレ介助を要請するトイレ呼出、点滴の終了を通知する点滴呼出、ナースコール子機１０として使用される各種センサーからの呼び出しを報知するセンサー呼出などの各種の呼び出し内容を呼出項目として使用しても良い。
【００２９】
また、本実施形態では、ナースコール親機１からナースコール子機１０を呼び出す内容を示す患者呼出項目として、一人の患者を呼び出す個別呼出を例示して説明しているが、これに限定されない。例えば、すべての患者または一部の患者に対して放送を行う一斉放送などの呼び出し内容を患者呼出項目として使用しても良い。この場合、患者呼出報知画面の表示の停止は、一斉放送の終了のタイミングで行われる。
【００３０】
次に、本実施形態によるナースコール親機の動作および画面表示方法を説明する。図３は、本実施形態によるナースコール親機１の動作および画面表示方法を示すフローチャートである。まず、ナースコール親機１では、選局部６に設けた選択ボタンが操作されたか否かを親機制御部２にて調べる（ステップＳ１）。選択ボタンが操作されたと親機制御部２にて判断した場合には（ステップＳ１にてＹＥＳ）、親機制御部２は患者呼出信号を生成して親機インターフェース３により出力するとともに、表示制御部７は患者呼出項目を下方に配置した患者呼出報知画面を生成し、表示部８は表示制御部７により生成された患者呼出報知画面を表示する（ステップＳ２）。
【００３１】
そして、親機制御部２は、復旧の操作が行われたか否かを調べる（ステップＳ３）。復旧の操作が行われていないと親機制御部２にて判断した場合には（ステップＳ３にてＮＯ）、ステップＳ３の処理を繰り返す。一方、復旧の操作が行われたと親機制御部２にて判断した場合には（ステップＳ３にてＹＥＳ）、表示制御部７は表示部８を制御し、表示部８は患者呼出報知画面の表示を停止する（ステップＳ４）。
【００３２】
ステップＳ１にて選局部６の選択ボタンが操作されなかったと親機制御部２にて判断した場合には（ステップＳ１にてＮＯ）、親機制御部２は、親機インターフェース３がナースコール子機１０から呼出信号を入力したか否かを調べる（ステップＳ５）。親機インターフェース３がナースコール子機１０から呼出信号を入力していないと親機制御部２にて判断した場合には（ステップＳ５にてＮＯ）、ステップＳ１の処理に戻る。
【００３３】
一方、親機インターフェース３がナースコール子機１０から呼出信号を入力したと親機制御部２にて判断した場合には（ステップＳ５にてＹＥＳ）、親機制御部２は、報知部５および選局部６を動作させるとともに、表示制御部７は呼出項目を上方に配置した呼出報知画面を生成し、表示部８は表示制御部７により生成された呼出報知画面を表示する（ステップＳ６）。
【００３４】
そして、親機制御部２は、復旧の操作が行われたか否かを調べる（ステップＳ７）。復旧の操作が行われていないと親機制御部２にて判断した場合には（ステップＳ７にてＮＯ）、ステップＳ７の処理を繰り返す。一方、復旧の操作が行われたと親機制御部２にて判断した場合には（ステップＳ７にてＹＥＳ）、表示制御部７は表示部８を制御し、表示部８は患者呼出報知画面の表示を停止する（ステップＳ８）。
【００３５】
以上詳しく説明したように、本実施形態によれば、ナースコール子機１０からナースコール親機１への呼び出しについては、呼び出しの内容を示す呼出項目を上方に配置した呼出報知画面を表示部８が表示し、ナースコール親機１からナースコール子機１０への呼び出しについては、呼び出しの内容を示す患者呼出項目を下方に配置した患者呼出報知画面を表示部８が表示するようにしている。これにより、ナースコール子機１０からナースコール親機１への呼び出しについては、表示部８の画面の上方に呼出項目が表示されるので、医療従事者は自身から見て遠い場所に設置されているナースコール子機１０からの呼び出しであると直感的に判断することができる。一方、ナースコール親機１からナースコール子機１０への呼び出しについては、表示部８の画面の下方に患者呼出項目が表示されるので、医療従事者は自身から見て近い場所に設置されているナースコール親機１からの呼び出しであると直感的に判断することができる。
【００３６】
なお、前述した実施形態では、表示部８が表示する呼出報知画面の上方に配置される呼出項目、および、表示部８が表示する患者呼出報知画面の下方に配置される患者呼出項目は、長方形の枠に囲まれているがこれに限定されない。例えば、呼び出しを行う方向を示すような図形で呼出項目や患者呼出項目を囲むようにしても良い。例えば、図４（ａ）に示すように、呼出報知画面の上方に配置される呼出項目の枠を下方に向かう形状とすることで、遠くに配置されるナースコール子機１０から近くに配置されるナースコール親機１へ呼び出しが行われていることを視覚的に示すことができる。また、図４（ｂ）に示すように、患者呼出報知画面の下方に配置される患者呼出項目の枠を上方に向かう形状とすることで、近くに配置されるナースコール親機１から遠くに配置されるナースコール子機１０へ呼び出しが行われていることを視覚的に示すことができる。
【００３７】
また、前述した実施形態では、ナースコール親機１は、表示部８を備えたボード形のものであるが、これに限定されない。例えば、コンピュータ形のナースコール親機であっても良いし、卓上型に設置されるナースコール親機であっても良い。すなわち、表示部８を備えており、ナースコール親機とナースコール子機との間で双方向の呼び出しを行うことができるのであれば、どのような形状のナースコール親機であっても良い。
【００３８】
また、前述した実施形態では、呼び出しを行った患者のベッド番号や患者氏名、または、呼び出した患者のベッド番号や患者氏名を画面の中央に表示するようにしているが、これに限定されない。例えば、これらの情報を呼出項目とともに画面の上方に表示したり、患者呼出項目とともに画面の下方に表示したりするようにしても良い。
【００３９】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４０】
１    ナースコール親機
２    親機制御部
３    親機インターフェース
４    記憶部
５    報知部
６    選局部
７    表示制御部
８    表示部
１０    ナースコール子機
１１    子機制御部
１２    呼出操作部
１３    子機インターフェース
【図１】
2010194270.tif 000003
【図２】
2010194270.tif 000004
【図３】
2010194270.tif 000005
【図４】
2010194270.tif 000006
【図５】
2010194270.tif 000007